(57)【要約】【課題】  熱交換器コアのセットが容易であり、かつ、押圧シリンダ等の装置同士の位置的干渉がなくてレイアウトが容易であると共に、両エンドパッチの押し込み寸法にバラツキが生じることを防止することができるラジエータタンクに対するエンドパッチ組付方法及びエンドパッチ組付装置の提供。【解決手段】  支持台１に対し熱交換器コア６１の一方の面を当接させた状態で位置決め支持させると共に、熱交換器コア６１の一方の面から一部突出した両ラジエータタンク６２、６２の突出側面にそれぞれ位置決め固定手段４、４の押圧部材４１、４１を当接させて位置決め支持固定させた状態で、両ラジエータタンク６２、６２のエンドキャップ６３に形成された係止フランジ部６３ａ、６３ａにラジエータタンク６２、６２の端面に沿って側方から支持ピンを備えたエンドパッチ７、７を押し込んで組み付けるようにした。【選択図】      図８
2007285548.tif 000002
【特許請求の範囲】
【請求項１】
熱交換器コアの対向する一方の端縁部に沿って略矩形断面を有するタンクがそれぞれ組み付けられ、該両タンクが前記熱交換器コアの一方の面からその一部が突出する状態で組み付けられた熱交換器に対し、前記タンクのエンドキャップに形成された係止フランジ部に前記タンクの端面に沿って側方から支持ピンを備えたエンドパッチを押し込んで組み付けるようにしたエンドパッチ組付方法であって、
支持台に対し前記熱交換器コアの一方の面を当接させた状態で位置決め支持させると共に、前記熱交換器コアの一方の面から一部突出した前記両タンクの突出側面にそれぞれ位置決め固定手段を当接させて位置決め支持固定させた状態で、前記両タンクのエンドキャップに形成された係止フランジ部に前記タンクの端面に沿って側方から前記エンドパッチを押し込んで組み付けるようにしたことを特徴とする熱交換器タンクに対するエンドパッチ組付方法。
【請求項２】
熱交換器コアの対向する一方の端縁部に沿って略矩形断面を有するタンクがそれぞれ組み付けられ、該両タンクが前記熱交換器コアの一方の面からその一部が突出する状態で組み付けられた熱交換器に対し、前記タンクのエンドキャップに形成された係止フランジ部に前記タンクの端面に沿って側方から支持ピンを備えたエンドパッチを押し込んで組み付けるようにしたエンドパッチ組付装置であって、
前記熱交換器コアの一方の面に当接して位置決め支持する支持台と、
前記熱交換器コアの一方の面から一部突出した前記両タンクの突出側面にそれぞれ当接して位置決め固定する固定手段と、
前記両タンクのエンドキャップに形成された係止フランジ部に前記タンクの端面に沿って側方から前記エンドパッチを押し込んで組み付けるエンドパッチ押込手段と、
で構成されていることを特徴とする熱交換器タンクに対するエンドパッチ組付装置。
【請求項３】
請求項２に記載のタンクに対するエンドパッチ組付装置において、前記固定手段が、前記熱交換器コアの一方の面から一部突出した前記両タンクの突出側面を内側からそれぞれ押圧する一対の押圧部材と、該突出側面と対面する前記支持台の両側面と前記押圧部材との間にそれぞれ圧入することにより該両押圧部材を前記両タンクの突出側面に押し付ける楔状部材とで構成されていることを特徴とする熱交換器タンクに対するエンドパッチ組付装置。
【請求項４】
請求項３に記載のタンクに対するエンドパッチ組付装置において、前記両押圧部材には該押圧部材を前記突出側面から内側へ引き離す方向に付勢する付勢手段が備えられていて、前記支持台の両側面と前記押圧部材との間にそれぞれ前記楔状部材を圧入することにより前記付勢手段の付勢力に抗して該両押圧部材を前記両タンクの突出側面に押し付けるように構成されていることを特徴とする熱交換器タンクに対するエンドパッチ組付装置。
【発明の詳細な説明】
【技術分野】
【０００１】
本発明は、熱交換器タンクに対するエンドパッチ組付方法及びエンドパッチ組付装置に関する。
【背景技術】
【０００２】
従来、ラジエータタンクに対するエンドパッチの組み付けは、図９に示すように、支持台１０１に対し熱交換器コア１０２の一方の面を当接載置（ａ）させた状態でコアＤ方向に位置決め支持させ、第１押圧シリンダ１０３でコアＨ方向に熱交換機コア１０２を押圧（ｂ）して支持ブロック１０４との間で挟持固定させ、両ラジエータタンク１０５、１０５部を一対の第２押圧シリンダ１０６、１０６で外側からコアＷ方向に押圧（ｃ）して挟持固定させた状態で、プレス加工によりラジエータタンク１０５、１０５の端面開口部に嵌入する凸部を備えたアルミニウム製のエンドパッチ１０７、１０７をそれぞれ第３押圧シリンダ１０８、１０８にセット（ｄ）し、該第３押圧シリンダ１０８、１０８でコアＨ方向に押圧（ｅ）することにより、エンドパッチ１０７、１０７を両ラジエータタンク１０５、１０５の端面開口部に圧入させて組み付けるようにしていた（例えば、特許文献１参照）。・・・従来例１
【０００３】
ところが、この従来例１にあっては、熱交換器コア１０２をセットし易くするために、支持台１０１と両ラジエータタンク１０５、１０５との間のクリアランスを大きめにとる必要があるため、コアＷ方向の位置決めが甘く、このため、該第３押圧シリンダ１０８、１０８でコアＨ方向に押圧（ｅ）することによりエンドパッチ１０７、１０７を両ラジエータタンク１０５、１０５の端面開口部に圧入させて組み付ける際に、両ラジエータタンク１０５、１０５の端面開口部との間に位置ずれが生じ易いという問題があった。
【０００４】
そこで、図１０に示すように、合成樹脂製のエンドパッチ１０７、１０７を第５押圧シリンダ１０９、１０９でコアＷ方向に押圧（ｆ）することにより、ラジエータタンク１０５、１０５のエンドキャップ１１０に形成された係止フランジ部にラジエータタンク１０５、１０５の端面に沿って側方から支持ピンを備えたエンドパッチ１０７、１０７を押し込んで組み付けるようにする改良がなされた。・・・従来例２
【特許文献１】特開２００１−１２８９３号公報
【発明の開示】
【発明が解決しようとする課題】
【０００５】
しかしながら、従来例２のラジエータタンクに対するエンドパッチ組付装置にあっては、第２押圧シリンダ１０６、１０６と第５押圧シリンダ１０９、１０９とが位置的に干渉するため、レイアウトが困難であるという問題がある。
【０００６】
一方、両ラジエータタンク１０５、１０５を外側からコアＷ方向に押圧（ｃ）して挟持固定させる一対の第２押圧シリンダ１０６、１０６をなくして、コアＷ方向の規制を支持台１０１と両ラジエータタンク１０５、１０５との間のクリアランスのみでの管理にすると、両エンドパッチ１０７、１０７の押し込み寸法のバラツキが大きくなってしまい、この結果、両エンドパッチ１０７、１０７の組み付け精度の信頼性が低下し、ひいては、ラジエータコアサポートに対し支持ピンを介してラジエータを組み付ける際の組み付け精度の信頼性を低下させるという問題がある。
【０００７】
本発明の解決しようとする課題は、熱交換器コアのセットが容易であり、かつ、押圧シリンダ等の装置同士の位置的干渉がなくてレイアウトが容易であると共に、両エンドパッチの押し込み寸法にバラツキが生じることを防止することができるラジエータタンクに対するエンドパッチ組付方法及びエンドパッチ組付装置を提供することにある。
【課題を解決するための手段】
【０００８】
上記課題を解決するため請求項１記載の熱交換器タンクに対するエンドパッチ組付方法は、熱交換器コアの対向する一方の端縁部に沿って略矩形断面を有するタンクがそれぞれ組み付けられ、該両タンクが前記熱交換器コアの一方の面からその一部が突出する状態で組み付けられた熱交換器に対し、前記タンクのエンドキャップに形成された係止フランジ部に前記タンクの端面に沿って側方から支持ピンを備えたエンドパッチを押し込んで組み付けるようにしたエンドパッチ組付方法であって、支持台に対し前記熱交換器コアの一方の面を当接させた状態で位置決め支持させると共に、前記熱交換器コアの一方の面から一部突出した前記両ラジエータタンクの突出側面にそれぞれ位置決め固定手段を当接させて位置決め支持固定させた状態で、前記両タンクのエンドキャップに形成された係止フランジ部に前記タンクの端面に沿って側方から前記エンドパッチを押し込んで組み付けるようにしたことを特徴とする手段とした。
【０００９】
請求項２記載のタンクに対するエンドパッチ組付装置は、熱交換器コアの対向する一方の端縁部に沿って略矩形断面を有するタンクがそれぞれ組み付けられ、該両タンクが前記熱交換器コアの一方の面からその一部が突出する状態で組み付けられた熱交換器に対し、前記タンクのエンドキャップに形成された係止フランジ部に前記タンクの端面に沿って側方から支持ピンを備えたエンドパッチを押し込んで組み付けるようにしたエンドパッチ組付装置であって、前記熱交換器コアの一方の面に当接して位置決め支持する支持台と、前記熱交換器コアの一方の面から一部突出した前記両タンクの突出側面にそれぞれ当接して位置決め固定する固定手段と、前記両タンクのエンドキャップに形成された係止フランジ部に前記タンクの端面に沿って側方から前記エンドパッチを押し込んで組み付けるエンドパッチ押込手段と、で構成されていることを特徴とする手段とした。
【発明の効果】
【００１０】
本発明請求項１に記載の熱交換器タンクに対するエンドパッチ組付方法では、上述のように、支持台に対し熱交換器コアの一方の面を当接させた状態で位置決め支持させると共に、熱交換器コアの一方の面から一部突出した両タンクの突出側面にそれぞれ位置決め固定手段を当接させて位置決め支持固定させた状態で、両タンクのエンドキャップに形成された係止フランジ部にタンクの端面に沿って側方から支持ピンを備えたエンドパッチを押し込んで組み付けるようにしたことで、装置同士が位置的に干渉することがないため、レイアウトが容易になる。
【００１１】
また、位置決め固定手段による支持固定前は支持台と両タンクとの間にクリアランスが形成されるため、支持台に対する熱交換器コアのセットが容易である。
【００１２】
また、熱交換器コアのサイズ（両ラジエータタンク相互間サイズ）は部品寸法が最も要求される部分であるから、熱交換器コアの一方の面から一部突出した両タンクの突出側面にそれぞれ位置決め固定手段を当接させて位置決め支持固定させることにより、両エンドパッチの押し込み寸法にバラツキが生じることを防止することができるようになる。
【００１３】
本発明請求項２に記載のタンクに対するエンドパッチ組付装置では、上述のように、熱交換器コアの一方の面に当接して位置決め支持する支持台と、熱交換器コアの一方の面から一部突出した両タンクの突出側面にそれぞれ当接して位置決め固定する固定手段と、両タンクのエンドキャップに形成された係止フランジ部にタンクの端面に沿って側方から支持ピンを備えたエンドパッチを押し込んで組み付けるエンドパッチ押込手段と、で構成されることで、上記請求項１に記載の発明と同様の効果が得られる。
【発明を実施するための最良の形態】
【００１４】
以下にこの発明の実施例を図面に基づいて説明する。
【実施例１】
【００１５】
この実施例のラジエータタンクに対するエンドパッチ組付方法及びエンドパッチ組付装置は、請求項１〜４に記載の発明に対応する。
【００１６】
まず、この実施例のラジエータタンクに対するエンドパッチ組付装置を図面に基づいて説明する。
【００１７】
図１はこの実施例のラジエータタンクに対するエンドパッチ組付装置を示す平面図、図２は同正面図、図３はエンドパッチの平面図、図４は図３のＡ−Ａ線における縦断面図、図５は図３のＢ−Ｂ線における縦断面図、図６〜図８はエンドパッチの組付工程を示す工程図である。
【００１８】
このラジエータタンクに対するエンドパッチ組付装置は、支持台１と、支持ブロック２と、第１押圧シリンダ３と、位置決め固定手段４と、エンドパッチ押込手段５とを備えている。
【００１９】
この実施例のエンドパッチ組付装置は、熱交換器コア６１の対向する一方の端縁部に沿って略横長矩形断面を有するラジエータタンク（熱交換器タンク）６２、６２がそれぞれ組み付けられ、該両ラジエータタンク６２、６２が熱交換器コア６１の一方の面からその一部が突出する状態で組み付けられたラジエータ６に対し、ラジエータタンク６２、６２のエンドキャップ６３に形成された係止フランジ部６３ａ、６３ａにラジエータタンク６２、６２の端面に沿って側方から支持ピンを備えたエンドパッチ７、７を押し込んで組み付けるようにしたものである。なお、６４、６４はコンデンサタンクを示す。
【００２０】
さらに詳述すると、上記エンドパッチ７は、図３〜５にその詳細を示すように、合成樹脂で略横長矩形の板状に形成され、その長手方向両側縁部と該両長手方向両側縁部を繋ぐ一方の端縁部で構成されるコ字状の外周縁部に沿った裏面側には、ラジエータタンク６２の端面に沿って側方から押し込むことにより、ラジエータタンク６２のエンドキャップ６３に形成された係止フランジ部６３ａに嵌合する嵌合溝７１が形成されている。また、エンドパッチ７の表面側には、支持ピン７２が一体に突出形成されている。
【００２１】
また、エンドパッチ７における、嵌合溝７１が形成されていない方の端縁部側には、ラジエータタンク６２における開口端部外面に係合することによりエンドパッチ７の抜けを阻止する係止爪７３が裏面側に突設された係合片７４が一体に形成されている。そして、この係合片７４の基部両側からエンドパッチ７の板状部部分に食い込むスリット７５、７５が形成されている。
【００２２】
上記支持台１は、ラジエータ６における熱交換器コア６１の一方の面に当接してコアＤ方向の位置決め支持をする役目をなすもので、水平状態に配置され、その後方縁部から上方へ垂直に立ち上がる状態で上記支持ブロック２が一体に備えられている。
【００２３】
上記第１押圧シリンダ３は、支持台１上に支持された熱交換器コア１１をコアＨ方向の基準である支持ブロック２に押し付けることによりコアＨ方向の位置決め固定をする役目をなす。
【００２４】
上記両位置決め固定手段４、４は、熱交換器コア６１の一方の面（下面）から一部突出する両ラジエータタンク６２、６２の突出側面６２ａ、６２ａにそれぞれ当接してコアＷ方向の位置決め固定をする役目をなすもので、両ラジエータタンク６２、６２の突出側面６２ａ、６２ａをそれぞれ外向きに押圧する一対の押圧部材４１、４１と、該押圧部材４１、４１と支持台１の両側面１１、１１との間にそれぞれ下方からコアＤ方向に圧入することにより該両押圧部材４１、４１をコアＷ方向に押し広げて両ラジエータタンク６２、６２の突出側面６２ａ、６２ａに押し付ける一対の楔状部材４２、４２と、該楔状部材４２、４２を押圧駆動する第２押圧シリンダ４３、４３とで構成されている。
【００２５】
上記両押圧部材４１、４１は、固定基台４１ａ、４１ａに対し、コアＷ方向摺動自在に支持されると共に、コイルスプリング（付勢手段）４１ｂ、４１ｂによって両ラジエータタンク６２、６２の突出側面６２ａ、６２ａから内側へ引き離す方向に付勢されている。
【００２６】
また、両押圧部材４１、４１における支持台１の両側面１１、１１との対向面には、楔状部材４２、４２の圧入を案内するテーパ部４１ｃ、４１ｃがそれぞれ形成され、また、上記楔状部材４２、４２の先端両側縁部にもテーパ部４２ｃ、４２ｃがそれぞれ形成されている。
【００２７】
上記エンドパッチ押込手段５、５は、両ラジエータタンク６２、６２の端面に形成された係止フランジ部６３ａ、６３ａにラジエータタンク６２、６２の端面に沿って側方から支持ピンを備えたエンドパッチ７、７を押し込んで組み付ける役目をなすもので、一対の第３押圧シリンダ５１、５１で構成されている。
【００２８】
次に、この実施例の作用を図６に基づいて説明する。
【００２９】
この実施例のラジエータタンクに対するエンドパッチ組付装置では上述のように構成されるため、まず、図６に示すように、支持台１に対しコアＤ方向を基準に熱交換器６１の一方の面を当接させた状態で位置決め支持させる（コアＤ方向規制）。
【００３０】
次に、第１押圧シリンダ３を駆動させ、支持台１上に支持された熱交換器コア６１をコアＨ方向の基準である支持ブロック２に押し付けることにより、コアＨ方向の位置決め固定をする（コアＨ方向規制）（図１参照）。
【００３１】
次に、図７に示すように、両第２押圧シリンダ４３、４３を駆動させ、楔状部材４２、４２を押圧部材４１、４１と支持台１の両側面１１、１１との間にそれぞれ下方からコアＤ方向に圧入させることにより、コイルスプリング４１ｂ、４１ｂの付勢力に抗して両押圧部材４１、４１をコアＷ方向に押し広げて両ラジエータタンク６２、６２の突出側面６２ａ、６２ａに押し付け、コアＷ方向の位置決め固定をする（コアＷ方向規制）。
【００３２】
なお、次の工程に移る前に、ラジエータタンク６２、６２の端面に形成された係止フランジ部６３ａ、６３ａに対し、エンドパッチ７、７を側方から手で押し込んで嵌合溝７１、７１を少し嵌合させた仮装着状態としておく。
【００３３】
次に、図８に示すように、両第３押圧シリンダ５１を駆動させ、両エンドパッチ７、７をエンドキャップ６３、６３の係止フランジ部６３ａ、６３ａに対しコアＷ方向内側に向けて押圧して圧入することにより、係合片７４、７４の係合爪７３、７３が係止フランジ部６３ａ、６３ａにそれぞれ係合し、これにより、両ラジエータタンク６２、６２の開口部に対するエンドパッチ７、７の組み付けを完了する。
【００３４】
次に、この実施例の効果を説明する。
【００３５】
この実施例のラジエータタンクに対するエンドパッチ組付方法及びエンドパッチ組付装置では、上述のように、支持台１に対し熱交換器コア６１の一方の面を当接させた状態で位置決め支持させると共に、熱交換器コア６１の一方の面から一部突出した両ラジエータタンク６２、６２の突出側面にそれぞれ位置決め固定手段４、４の押圧部材４１、４１を当接させて位置決め支持固定させた状態で、両ラジエータタンク６２、６２のエンドキャップ６３、６３に形成された係止フランジ部６３ａ、６３ａにラジエータタンク６２、６２の端面に沿って側方から支持ピン７２を備えたエンドパッチ７、７を押し込んで組み付けるようにしたことで、装置同士が位置的に干渉することがないため、レイアウトが容易になる。
【００３６】
また、位置決め固定手段４による位置決め固定前は、支持台１及び両押圧部材４１、４１と両ラジエータタンク６２、６２の突出側面６２ａ、６２ａとの間にクリアランスが形成されるため、支持台１に対する熱交換器コア６１のセットが容易である。
【００３７】
また、熱交換器コア６１のサイズ（両ラジエータタンク６２、６２の突出側面６２ａ、６２ａ相互間寸法）は部品寸法が最も要求される部分であるから、熱交換器コア６１の一方の面から一部突出した両ラジエータタンク６２、６２の突出側面６２ａ、６２ａにそれぞれ位置決め固定手段４、４の押圧部材４１、４１を当接させて位置決め支持固定させることにより、両エンドパッチ７、７の押し込み寸法にバラツキが生じることを防止することができるようになる。
【００３８】
また、押圧部材４１、４１がコイルスプリング４１ｂ、４１ｂによって両ラジエータタンク６２、６２の突出側面６２ａ、６２ａから内側へ引き離す方向に付勢されているため、位置決め固定手段４による位置決め固定前は、両押圧部材４１、４１と両ラジエータタンク６２、６２の突出側面６２ａ、６２ａとの間にはクリアランスが形成された状態に維持されるため、支持台１に対する熱交換器コア６１のセットが容易である。
【００３９】
以上本実施例を説明してきたが、本発明は上述の実施例に限られるものではなく、本発明の要旨を逸脱しない範囲の設計変更等があっても、本発明に含まれる。
【００４０】
例えば、実施例では、位置決め固定手段４、４を、一対の押圧部材４１、４１と、一対の楔状部材４２、４２と、第２押圧シリンダ４３、４３とで構成させたが、要は、熱交換器コア６１の一方の面（下面）から一部突出する両ラジエータタンク６２、６２の突出側面６２ａ、６２ａにそれぞれ当接してコアＷ方向の位置決め固定をする役目をなしうるものであれば実施例の構成に限られない。
【００４１】
また、エンドパッチ７、７の構成及び組み付け構造についても、実施例には限定されず、要は、ラジエータタンク６２、６２のエンドキャップ６３、６３に形成された係止フランジ部６３ａ、６３ａにラジエータタンク６２、６２の端面に沿って側方から支持ピンを備えたエンドパッチ７、７を押し込んで組み付ける構造であればよい。
【図面の簡単な説明】
【００４２】
【図１】実施例のラジエータタンクに対するエンドパッチ組付装置を示す平面図である。
【図２】実施例のラジエータタンクに対するエンドパッチ組付装置を示す正面図である。
【図３】エンドパッチの平面図である。
【図４】図３のＡ−Ａ線における縦断面図である。
【図５】図３のＢ−Ｂ線における縦断面図である。
【図６】エンドパッチの組付工程を示す工程図である。
【図７】エンドパッチの組付工程を示す工程図である。
【図８】エンドパッチの組付工程を示す工程図である。
【図９】従来例１のラジエータタンクに対するエンドパッチ組付装置を示す図である。
【図１０】従来例２のラジエータタンクに対するエンドパッチ組付装置を示す
【符号の説明】
【００４３】
１  支持台
１１  側面
２  支持ブロック
３  第１押圧シリンダ
４  位置決め固定手段
４１  押圧部材
４１ａ  固定基台
４１ｂ  コイルスプリング（付勢手段）
４１ｃ  テーパ部
４２  楔状部
４２ｃ  テーパ部
４３  第２押圧シリンダ
５  エンドパッチ押込手段
５１  第３押圧シリンダ
６  ラジエータ
６１  熱交換器コア
６２  ラジエータタンク（熱交換器タンク）
６２ａ  突出側面
６３  エンドキャップ
６３ａ  係止フランジ部
６４  コンデンサタンク
７  エンドパッチ
７１  嵌合溝
７２  支持ピン
７３  係止爪
７４  係合片
７５  スリット
【図１】
2007285548.tif 000003
【図２】
2007285548.tif 000004
【図３】
2007285548.tif 000005
【図４】
2007285548.tif 000006
【図５】
2007285548.tif 000007
【図６】
2007285548.tif 000008
【図７】
2007285548.tif 000009
【図８】
2007285548.tif 000010
【図９】
2007285548.tif 000011
【図１０】
2007285548.tif 000012